(57)【要約】【課題】  洗濯機を使用するたびごとに特別な運転内容をくりかえして容易に設定できる洗濯機制御システムを提供する。【解決手段】  洗濯機１１０Ｂと、洗濯機１１０Ｂを制御する端末１２０とを具備する洗濯機制御システムであって、端末１２０は、洗濯機１１０Ｂによって実行される洗い運転とすすぎ運転と脱水運転との内容を設定する特別運転コース設定部４１と、特別運転コース設定部４１によって設定された特別運転コースの内容を表す情報を送信する送信部６と、送信部６によって送信した少なくとも１個の履歴を保存する送信履歴保存部４７とを有し、洗濯機１１０Ｂは、端末１２０の送信部６によって送信された特別運転コースの内容を表す情報を受信する受信部７と、受信部７によって受信された特別運転コースの内容を表す情報に基づいて洗い運転とすすぎ運転と脱水運転とを実行する制御部３とを有している。【選択図】  図２
2005034414.tif 000002
【特許請求の範囲】
【請求項１】
洗濯機と、前記洗濯機を制御するための端末とを具備する洗濯機制御システムであって、
前記端末は、前記洗濯機によって実行される洗い運転とすすぎ運転と脱水運転との内容を設定する特別運転コース設定手段と、
前記特別運転コース設定手段によって設定された前記特別運転コースの内容を表す情報を送信する送信手段と、
前記送信手段によって送信した少なくとも１個の履歴を保存する送信履歴保存手段とを有しており、
前記洗濯機は、前記端末に設けられた前記送信手段によって送信された前記特別運転コースの内容を表す情報を受信する受信手段と、
前記受信手段によって受信された前記特別運転コースの内容を表す情報に基づいて前記洗い運転と前記すすぎ運転と前記脱水運転とを実行するために設けられた制御手段とを有していることを特徴とする洗濯機制御システム。
【請求項２】
前記送信履歴保存手段は、前記送信手段によって送信した履歴をＮ個分（２≦Ｎ≦Ｍ、Ｍは２以上の整数）保存することができる、請求項１記載の洗濯機制御システム。
【請求項３】
前記端末は、前記送信履歴保存手段によって保存された前記履歴の内容を表示する表示手段をさらに有している、請求項１記載の洗濯機制御システム。
【請求項４】
前記特別運転コース設定手段は、前記送信履歴保存手段によって保存された前記複数個の履歴のうちの１つを選択する送信履歴選択手段を有している、請求項１記載の洗濯機制御システム。
【請求項５】
前記特別運転コース設定手段は、前記送信履歴保存手段にＭ個の履歴が保存されているときに、前記Ｍ個の履歴のうちの１個を選択して削除する削除履歴選択手段を有している、請求項２記載の洗濯機制御システム。
【請求項６】
前記削除履歴選択手段は、前記特別運転コースの内容を表す情報を送信手段が送信したときに、前記Ｍ個の履歴のうちの１個を選択して削除する、請求項５記載の洗濯機制御システム。
【請求項７】
前記端末は、前記送信履歴保存手段によって保存された前記履歴の内容を表示する表示手段をさらに有しており、
前記表示手段は、前記送信履歴選択手段によって選択された前記複数個の履歴のうちの１つの内容を詳細に表示する、請求項４記載の洗濯機制御システム。
【請求項８】
前記送信手段は、前記送信履歴選択手段によって選択された前記複数個の履歴のうちの１つを送信する、請求項４記載の洗濯機制御システム。
【請求項９】
前記特別運転コース設定手段は、前記送信履歴選択手段によって選択された前記複数個の履歴のうちの１つを修正する修正手段を有しており、
前記送信手段は、前記修正手段によって修正された前記複数個の履歴のうちの１つを送信する、請求項４記載の洗濯機制御システム。
【請求項１０】
前記特別運転コース設定手段は、前記修正手段によって修正された前記複数個の履歴のうちの１つを前記送信履歴保存手段に保存するか否かを選択する保存選択手段を有している、請求項９記載の洗濯機制御システム。
【請求項１１】
前記特別運転コース設定手段は、前記送信履歴選択手段によって選択された前記履歴を前記修正手段によって修正して特別運転コースを設定するか、新規に特別運転コースを設定するかを選択する特別運転コース設定選択手段を有している、請求項９記載の洗濯機制御システム。
【請求項１２】
端末によって制御される洗濯機であって、
前記端末は、前記洗濯機によって実行される洗い運転とすすぎ運転と脱水運転との内容を設定する特別運転コース設定手段と、
前記特別運転コース設定手段によって設定された前記特別運転コースの内容を表す情報を送信する送信手段と、
前記送信手段によって送信した少なくとも１個の履歴を保存する送信履歴保存手段とを有しており、
前記洗濯機は、前記端末に設けられた前記送信手段によって送信された前記特別運転コースの内容を表す情報を受信する受信手段と、
前記受信手段によって受信された前記特別運転コースの内容を表す情報に基づいて前記洗い運転と前記すすぎ運転と前記脱水運転とを実行するために設けられた制御手段とを具備することを特徴とする洗濯機。
【請求項１３】
洗濯機を制御するための端末であって、
前記端末は、前記洗濯機によって実行される洗い運転とすすぎ運転と脱水運転との内容を設定する特別運転コース設定手段と、
前記特別運転コース設定手段によって設定された前記特別運転コースの内容を表す情報を送信する送信手段と、
前記送信手段によって送信した少なくとも１個の履歴を保存する送信履歴保存手段とを具備しており、
前記洗濯機は、前記端末に設けられた前記送信手段によって送信された前記特別運転コースの内容を表す情報を受信する受信手段と、
前記受信手段によって受信された前記特別運転コースの内容を表す情報に基づいて前記洗い運転と前記すすぎ運転と前記脱水運転とを実行するために設けられた制御手段とを有していることを特徴とする端末。
【発明の詳細な説明】
【技術分野】
【０００１】
本発明は、洗い運転とすすぎ運転と脱水運転との内容が規定された特別運転コースに基づいて洗い運転とすすぎ運転と脱水運転とを実行する洗濯機制御システム、洗濯機および端末に関する。
【背景技術】
【０００２】
図８は従来の洗濯機９０の構成を示す側面断面図であり、図９は従来の洗濯機９０の構成を示すブロック回路図であり、図１０は従来の洗濯機９０に設けられた操作部９８の外観を示す正面図である。
【０００３】
洗濯機９０は、略長方体形状をした外枠２５を備えている。外枠２５の内部には、略円筒形状をした水受け槽２１が設けられている。水受け槽２１は、吊り棒２４によって外枠２５に吊り下げられている。水受け槽２１には、略円筒形状をした洗濯兼脱水槽２２が内包されている。洗濯兼脱水槽２２の底部には、攪拌翼２３が垂直方向に沿った軸の回りに回転自在に設けられている。
【０００４】
水受け槽２１には、攪拌翼２３を回転させるためのモータ２７が設けられている。モータ２７は、直流ブラシレスモータによって構成されている。モータ２７と攪拌翼２３との間には、動力切換機構２６が設けられている。動力切換機構２６は、洗濯時にはモータ２７からの駆動力を減速して攪拌翼２３へ伝達し、脱水時にはモータ２７からの駆動力を１対１で攪拌翼２３へ伝達する。
【０００５】
水受け槽２１の上には、散水用の吐出部を形成するためのカバー体２８が設けられている。水受け槽２１の上方には、給水弁３１が設けられている。給水弁３１は、洗濯兼脱水槽２２内に水を給水するために設けられている。水受け槽２１の下方には、排水弁３２が設けられている。排水弁３２は、水受け槽２１内の洗濯水を排水するために設けられている。
【０００６】
水受け槽２１の下部には、接続部３０が設けられている。水受け槽２１は、水位検知器２９が設けられている。水位検知器２９は、水受け槽２１の水位を検知するために接続部３０における水圧を電気的な周波数に変換する。
【０００７】
モータ２７は、インバータ回路３７によって駆動される。インバータ回路３７は、６個のスイッチング素子３８Ａ〜３８Ｆを有している。各スイッチング素子３８Ａ〜３８Ｆは、パワートランジスタと逆導通ダイオードとによって構成される並列回路をそれぞれ有している。
【０００８】
洗濯機９０は、電源４０を有している。電源４０は、ダイオードブリッジ４１とチョークコイル４２と平滑用コンデンサ４３とによって構成される直流電源変換装置を介してインバータ回路３７へ電圧を供給する。電源４０はまた、図示しないポンプと給水弁３１と排水弁３２と動力変換機構２６とへ電圧を供給する。モータ２７には、３個の位置検出器３５が設けられている。各位置検出器３５は、モータ２７の回転位置を検出する。
【０００９】
洗濯機９０は、制御部３を備えている。制御部３には、回転制御部３４が設けられている。回転制御部３４は、各位置検出器３５によって検出されたモータ２７の回転位置と水位検知器２９によって検知された水受け槽２１の水位とに基づいて駆動回路３６を制御する。駆動回路３６は、回転制御部３４からの指示に基づいてインバータ回路３７を駆動する。
【００１０】
図示しないポンプと給水弁３１と排水弁３２と動力変換機構２６とは、負荷駆動部３３に接続されている。負荷駆動部３３は、制御部３からの指示に基づいて、図示しないポンプと給水弁３１と排水弁３２と動力変換機構２６とをそれぞれ駆動する。
【００１１】
洗濯機９０は、操作部９８を備えている。操作部９８には、複数の基本運転コースと特別運転コースとのいずれかを選択するための運転コース選択ボタン４Ｊと、複数の基本運転コースと特別運転コースとのそれぞれに対応する複数の運転コース選択ランプ４Ｄとが設けられている。各運転コース選択ランプ４Ｄは、ＬＥＤによって構成されている。基本運転コースには、例えば、「おまかせコース」と「お急ぎコース」と「おうちクリーニングコース」が含まれている。「おまかせコース」は、最も標準的な運転コースであって、例えば洗い時間が「９分」に設定されており、すすぎ回数が「注水２回」に設定されており、脱水時間が「７分」に設定されたコースである。「お急ぎコース」は、急いで洗濯するための基本運転コースであって、例えば洗い時間が「３分」に設定されており、すすぎ回数が「注水１回」に設定されており、脱水時間が「３分」に設定されている。「おうちクリーニングコース」は、クリーニングを推奨されている衣類を家庭内の洗濯機において洗うための基本運転コースであって、例えば洗い時間が「１２分」に設定されており、すすぎ回数が「ため２回」に設定されており、脱水時間が「４０秒」に設定されている。「特別運転コース」は、洗い運転における洗い時間とすすぎ運転におけるすすぎ回数と脱水運転における脱水時間とを任意に設定することができる。運転コース選択ランプ４Ｄは、「おまかせコース」と「お急ぎコース」と「おうちクリーニングコース」と「特別運転コース」とごとにそれぞれ設けられている。運転コース選択ボタン４Ｊを押すたびに「おまかせコース」、「お急ぎコース」、「おうちクリーニングコース」、「特別運転コース」と、この順番に運転コース選択ランプ４Ｄが切り替わって点灯してゆく。
【００１２】
操作部９８は、洗い運転における洗い時間とすすぎ運転におけるすすぎ回数と脱水運転における脱水時間とを入力するための入力部４と、入力部４に入力された洗い時間とすすぎ回数と脱水時間とを表示するための表示部５とを有している。入力部４は、洗い時間を設定するためのボタンと、すすぎ回数を設定するためのボタンと、脱水時間を設定するためのボタンとによって構成されている。
【００１３】
操作部９８は、特別運転コース設定部２を有している。特別運転コース設定部２は、最も標準的な運転コースである「おまかせコース」に予め規定された洗い時間とすすぎ回数と脱水時間とを、入力部４に入力された洗い時間とすすぎ回数と脱水時間とによってそれぞれ補正することによって、「特別運転コース」を設定する。
【００１４】
このように構成された洗濯機９０においては、運転コース選択ボタン４Ｊを押すことによって「特別運転コース」が選択されると、最も標準的な運転コースである「おまかせコース」に予め規定された洗い時間とすすぎ回数と脱水時間とが表示部５に表示される。そして、ユーザは、表示部５に表示された「おまかせコース」の洗い時間とすすぎ回数と脱水時間とを参照しながら、「おまかせコース」の洗い時間とすすぎ回数と脱水時間とを補正するように、所望の洗い時間とすすぎ回数と脱水時間とを入力部４を構成する各ボタンを押すことによって設定する。
【００１５】
次に、特別運転コース設定部２は、設定された所望の洗い時間とすすぎ回数と脱水時間とに基づいて、「おまかせコース」に予め規定された洗い時間とすすぎ回数と脱水時間とを補正することによって、特別運転コースを設定する。
【００１６】
その後、制御部３は、特別運転コース設定部２によって設定された特別運転コースに基づいて洗い運転とすすぎ運転と脱水運転とを実行するように、駆動回路３６と負荷駆動部３３とを制御する。
【特許文献１】特開２００２−１１９７８８号公報
【発明の開示】
【発明が解決しようとする課題】
【００１７】
前述した従来の洗濯機９０の構成では、特別運転コースの運転内容を一旦設定してその内容の特別運転コースに基づいて洗濯運転を実行した場合であっても、次回に洗濯機を使用するときに前回に実行した特別運転コースと同一または類似の内容の特別運転コースで洗濯運転を実行しようとすると、特別運転コースの運転内容を一から考えて所望の洗い時間とすすぎ回数と脱水時間とを設定しなければならないという問題がある。
【００１８】
本発明の目的は、洗濯機を使用するたびごとに特別な運転内容をくりかえして容易に設定することができる洗濯機制御システムを提供することにある。
【課題を解決するための手段】
【００１９】
本発明に係る洗濯機制御システムは、洗濯機と、前記洗濯機を制御するための端末とを具備する制御システムであって、前記端末は、前記洗濯機によって実行される洗い運転とすすぎ運転と脱水運転との内容を設定する特別運転コース設定手段と、前記特別運転コース設定手段によって設定された前記特別運転コースの内容を表す情報を送信する送信手段と、前記送信手段によって送信した少なくとも１個の履歴を保存する送信履歴保存手段とを有しており、前記洗濯機は、前記端末に設けられた前記送信手段によって送信された前記特別運転コースの内容を表す情報を受信する受信手段と、前記受信手段によって受信された前記特別運転コースの内容を表す情報に基づいて前記洗い運転と前記すすぎ運転と前記脱水運転とを実行するために設けられた制御手段とを有していることを特徴とする。
【００２０】
本発明に係る洗濯機は、端末によって制御される洗濯機であって、前記端末は、前記洗濯機によって実行される洗い運転とすすぎ運転と脱水運転との内容を設定する特別運転コース設定手段と、前記特別運転コース設定手段によって設定された前記特別運転コースの内容を表す情報を送信する送信手段と、前記送信手段によって送信した少なくとも１個の履歴を保存する送信履歴保存手段とを有しており、前記洗濯機は、前記端末に設けられた前記送信手段によって送信された前記特別運転コースの内容を表す情報を受信する受信手段と、前記受信手段によって受信された前記特別運転コースの内容を表す情報に基づいて前記洗い運転と前記すすぎ運転と前記脱水運転とを実行するために設けられた制御手段とを具備することを特徴とする。
【００２１】
本発明に係る端末は、洗濯機を制御するための端末であって、前記端末は、前記洗濯機によって実行される洗い運転とすすぎ運転と脱水運転との内容を設定する特別運転コース設定手段と、前記特別運転コース設定手段によって設定された前記特別運転コースの内容を表す情報を送信する送信手段と、前記送信手段によって送信した少なくとも１個の履歴を保存する送信履歴保存手段とを具備しており、前記洗濯機は、前記端末に設けられた前記送信手段によって送信された前記特別運転コースの内容を表す情報を受信する受信手段と、前記受信手段によって受信された前記特別運転コースの内容を表す情報に基づいて前記洗い運転と前記すすぎ運転と前記脱水運転とを実行するために設けられた制御手段とを有していることを特徴とする。
【発明の効果】
【００２２】
本発明によれば、洗濯機を使用するたびごとに特別な運転内容をくりかえして容易に設定することができる洗濯機制御システムを提供することができる。
【発明を実施するための最良の形態】
【００２３】
本実施の形態に係る洗濯機制御システムにおいては、送信手段によって送信した少なくとも１個の履歴を保存する送信履歴保存手段が設けられている。このため、送信履歴保存手段に保存された少なくとも１個の履歴に基づいて、以前に送信した特別運転コースの内容を表す情報を修正して洗濯機へ送信することができる。その結果、特別運転コースの内容を設定する手間を省くことができる。
【００２４】
この実施の形態では、前記送信履歴保存手段は、前記送信手段によって送信した履歴をＮ個分（２≦Ｎ≦Ｍ、Ｍは２以上の整数）保存することができることが好ましい。
【００２５】
前記端末は、前記送信履歴保存手段によって保存された前記履歴の内容を表示する表示手段をさらに有していることが好ましい。
【００２６】
前記特別運転コース設定手段は、前記送信履歴保存手段によって保存された前記複数個の履歴のうちの１つを選択する送信履歴選択手段を有していることが好ましい。
【００２７】
前記特別運転コース設定手段は、前記送信履歴保存手段にＭ個の履歴が保存されているときに、前記Ｍ個の履歴のうちの１個を選択して削除する削除履歴選択手段を有していることが好ましい。
【００２８】
前記削除履歴選択手段は、前記特別運転コースの内容を表す情報を送信手段が送信したときに、前記Ｍ個の履歴のうちの１個を選択して削除することが好ましい。
【００２９】
前記端末は、前記送信履歴保存手段によって保存された前記履歴の内容を表示する表示手段をさらに有しており、前記表示手段は、前記送信履歴選択手段によって選択された前記複数個の履歴のうちの１つの内容を詳細に表示することが好ましい。
【００３０】
前記送信手段は、前記送信履歴選択手段によって選択された前記複数個の履歴のうちの１つを送信することが好ましい。
【００３１】
前記特別運転コース設定手段は、前記送信履歴選択手段によって選択された前記複数個の履歴のうちの１つを修正する修正手段を有しており、前記送信手段は、前記修正手段によって修正された前記複数個の履歴のうちの１つを送信することが好ましい。
【００３２】
前記特別運転コース設定手段は、前記修正手段によって修正された前記複数個の履歴のうちの１つを前記送信履歴保存手段に保存するか否かを選択する保存選択手段を有していることが好ましい。
【００３３】
前記特別運転コース設定手段は、前記送信履歴選択手段によって選択された前記履歴を前記修正手段によって修正して特別運転コースを設定するか、新規に特別運転コースを設定するかを選択する特別運転コース設定選択手段を有していることが好ましい。
【００３４】
以下、図面を参照して本発明の実施の形態を説明する。
【００３５】
図１は本実施の形態に係る洗濯機制御システム１００の外観を示す斜視図であり、図２は本実施の形態に係る洗濯機１１０Ｂの構成を示す断面図であり、図３は洗濯機制御システム１００の構成を示すブロック回路図である。
【００３６】
洗濯機制御システム１００は、洗濯機１１０Ｂと洗濯機１１０Ｂを制御するための端末１２０とを備えている。端末１２０と洗濯機１１０Ｂとは、無線によるネットワークを介して接続されている。
【００３７】
洗濯機１１０Ｂは、略長方体形状をした外枠２５を備えている。外枠２５の内部には、略円筒形状をした水受け槽２１が設けられている。水受け槽２１は、吊り棒２４によって外枠２５に吊り下げられている。水受け槽２１には、略円筒形状をした洗濯兼脱水槽２２が内包されている。洗濯兼脱水槽２２の底部には、攪拌翼２３が垂直方向に沿った軸の回りに回転自在に設けられている。
【００３８】
水受け槽２１には、攪拌翼２３を回転させるためのモータ２７が設けられている。モータ２７は、直流ブラシレスモータによって構成されている。モータ２７と攪拌翼２３との間には、動力切換機構２６が設けられている。動力切換機構２６は、洗濯時にはモータ２７からの駆動力を減速して攪拌翼２３へ伝達し、脱水時にはモータ２７からの駆動力を１対１で攪拌翼２３へ伝達する。
【００３９】
水受け槽２１の上には、散水用の吐出部を形成するためのカバー体２８が設けられている。水受け槽２１の上方には、給水弁３１が設けられている。給水弁３１は、洗濯兼脱水槽２２内に水を給水するために設けられている。水受け槽２１の下方には、排水弁３２が設けられている。排水弁３２は、水受け槽２１内の洗濯水を排水するために設けられている。
【００４０】
水受け槽２１の下部には、接続部３０が設けられている。水受け槽２１は、水位検知器２９が設けられている。水位検知器２９は、水受け槽２１の水位を検知するために、接続部３０における水圧を電気的な周波数に変換する。
【００４１】
モータ２７は、インバータ回路３７によって駆動される。インバータ回路３７は、６個のスイッチング素子３８Ａ〜３８Ｆを有している。各スイッチング素子３８Ａ〜３８Ｆは、パワートランジスタと逆導通ダイオードとによって構成される並列回路をそれぞれ有している。
【００４２】
洗濯機１１０Ｂは、電源４０を有している。電源４０は、ダイオードブリッジ４１とチョークコイル４２と平滑用コンデンサ４３とによって構成される直流電源変換装置を介してインバータ回路３７へ電圧を供給する。電源４０はまた、図示しないポンプと給水弁３１と排水弁３２と動力変換機構２６とへ電圧を供給する。モータ２７には、３個の位置検出器３５が設けられている。各位置検出器３５は、モータ２７の回転位置を検出する。
【００４３】
洗濯機１１０Ｂは、制御部３を備えている。制御部３には、回転制御部３４が設けられている。回転制御部３４は、各位置検出器３５によって検出されたモータ２７の回転位置と水位検知器２９によって検知された水受け槽２１の水位とに基づいて駆動回路３６を制御する。駆動回路３６は、回転制御部３４からの指示に基づいてインバータ回路３７を駆動する。
【００４４】
図示しないポンプと給水弁３１と排水弁３２と動力変換機構２６とは、負荷駆動部３３に接続されている。負荷駆動部３３は、制御部３からの指示に基づいて、図示しないポンプと給水弁３１と排水弁３２と動力変換機構２６とをそれぞれ駆動する。
【００４５】
端末１２０は、操作部８Ｂを備えている。操作部８Ｂは、特別運転コース設定部４１を有している。特別運転コース設定部４１は、洗濯機１１０Ｂによって実行される洗い運転とすすぎ運転と脱水運転との内容を設定する。端末１２０には、送信部６が設けられている。送信部６は、特別運転コース設定部４１によって設定された特別運転コースの内容を表す情報を、洗濯機１１０Ｂに設けられた受信部７へ送信する。端末１２０は、送信履歴保存部４７を有している。送信履歴保存部４７は、送信部６によって送信した少なくとも１個の履歴を保存する。この送信履歴保存部４７は、送信部６によって送信した履歴をＮ個分（２≦Ｎ≦Ｍ、Ｍは２以上の整数）保存することが好ましい。
【００４６】
洗濯機１１０Ｂに設けられた受信部７は、端末１２０に設けられた送信部６によって送信された特別運転コースの内容を表す情報を受信する。洗濯機１１０Ｂに設けられた制御部３は、前記受信部７によって受信された特別運転コースの内容を表す情報に基づいて洗い運転とすすぎ運転と脱水運転とを実行するために設けられている。
【００４７】
端末１２０の操作部８Ｂには、表示部５Ａが設けられている。表示部５Ａは、送信履歴保存部４７によって保存された履歴の内容を表示する。特別運転コース設定部４１は、送信履歴選択部４２を有している。送信履歴選択部４２は、送信履歴保存部４７によって保存されたＮ個分の履歴のうちの１つを選択する。表示部５Ａは、送信履歴選択部４２によって選択されたＮ個分の履歴のうちの１つの内容を詳細に表示する。送信部６は、送信履歴選択部４２によって選択されたＮ個分の履歴のうちの１つを送信する。
【００４８】
特別運転コース設定部４１には、削除履歴選択部４３が設けられている。削除履歴選択部４３は、送信履歴保存部にＭ個の履歴が保存されているときに、Ｍ個の履歴のうちの１個を選択して削除する。この削除履歴選択部４３は、特別運転コースの内容を表す情報を送信部６が送信したときに、Ｍ個の履歴のうちの１個を選択して削除する。
【００４９】
特別運転コース設定部４１は、修正部４４を有している。修正部４４は、送信履歴選択部４３によって選択されたＭ個の履歴のうちの１つを修正する。送信部６は、修正部４４によって修正された履歴を送信する。特別運転コース設定部４１には、保存選択部４５が設けられている。保存選択部４５は、修正部４４によって修正された履歴を送信履歴保存部４７に保存するか否かを選択する。
【００５０】
特別運転コース設定部４１は、特別運転コース設定選択部４６を有している。特別運転コース設定選択部４６は、送信履歴選択部４２によって選択された履歴を修正部４１によって修正して特別運転コースを設定するか、新規に特別運転コースを設定するかを選択する。
【００５１】
このように構成された洗濯機制御システム１００の動作を説明する。図４（ａ）〜図４（ｄ）は、洗濯機制御システム１００に設けられた端末１２０の動作を説明するための端末１２０の表示部５Ａの表示内容を示す図である。図５は、本実施の形態に係る洗濯機制御システム１００の動作を示すフローチャートである。
【００５２】
まず初期待機状態において図４（ａ）に示す画面が表示部５Ａに表示される（ステップＳ１）。そして、洗濯運転コースを新しく設定するための登録済コースボタン５１を選択すると図４（ｂ）に示す画面が表示部５Ａに表示される（ステップＳ２）。図４（ｂ）に示す画面には、送信履歴保存部４７に保存された過去の履歴（最大３件）が表示される。ここでは、のり付けコースと特別運転コース１とが表示されている。一番上に表示されているのり付けコースが最新の履歴であり、最新であることを示すマークが表示されている。
【００５３】
次に、特別運転コースを設定するための特別運転コース１ボタン５２を選択すると特別運転コースの内容が一覧表示された図４（ｃ）に示す画面が表示される（ステップＳ４）。図４（ｃ）に示す例では、特別運転コースにおいて、水量はちょっと多めに設定されており、洗い時間は２０分に設定されており、水流は標準に設定されている。すすぎ回数はため３回に設定されており、脱水時間は２０分に設定されており、乾燥は標準に設定されている。
【００５４】
その後、このように設定された特別運転コースの内容の設定を変更するか否かを判断する（ステップＳ５）。特別運転コースの内容の設定を変更するときは（ステップＳ５においてＹＥＳ）、特別運転コースの水量と洗い時間と水流とすすぎ回数と脱水時間と乾燥とのいずれかを変更する。例えば、洗い時間を変更し（ステップＳ６）、すすぎ回数を変更し（ステップＳ７）または脱水時間を変更する（ステップＳ８）。そしてステップＳ５へ戻る。
【００５５】
設定変更をしないか、または設定変更を終了したときは（ステップＳ５においてＮＯ）、特別運転コースの内容を送信部６から受信部７へ転送するための転送ボタン５３を押す（ステップＳ９）。
【００５６】
その後、特別運転コースを送信履歴保存部４７へ上書きするか否かを設定するための図４（ｄ）に示す画面が表示部５Ａに表示される（ステップＳ１０）。上書きボタン５４を選択すると、設定変更した特別運転コースの内容が送信履歴保存部４７に保存された特別運転コース１の内容の上に上書きされる（ステップＳ１２）。新規ボタン５５を選択すると、設定変更した特別運転コースの内容が特別運転コース２として送信履歴保存部４７に新規に追加して保存される（ステップＳ１１）。そして、特別運転コースの内容が送信部６から受信部７へ転送される。送信履歴保存部４７に保存することができるコースの数は最大３件であるが、この例では最初に保存されていたのり付けコースと特別運転コース１との２件に１件が追加されて３件になり、最大３件を超えないので問題はない。
【００５７】
取り消しボタン５６を選択したときは、設定変更を破棄して（ステップＳ１３）、ステップＳ２へ戻る。
【００５８】
図６（ａ）〜図６（ｄ）は、洗濯機制御システム１００の端末１２０の他の動作を説明するための端末１２０の表示部５Ａの表示内容を示す図である。図７は、本実施の形態に係る洗濯機システムの他の動作を示すフローチャートである。
【００５９】
まず初期待機状態において図６（ａ）に示す画面が表示部５Ａに表示される（ステップＳ２１）。そして、送信履歴保存部４１に登録済みの洗濯運転コースに基づいて設定するための新しいコースボタン５７を選択すると図６（ｂ）に示す画面が表示部５Ａに表示される（ステップＳ２２）。図６（ｂ）に示す画面には、特別運転コースのデフォルトの内容が表示される。ここでは、水量は標準になっており、洗い時間は９分になっており、水流は標準になっている。すすぎは注水３回になっており、脱水時間は７分になっており、乾燥は標準になっている。
【００６０】
その後、このように設定されたデフォルトの特別運転コースの内容の設定を変更するか否かを判断する（ステップＳ２４）。特別運転コースの内容の設定を変更するときは（ステップＳ２４においてＹＥＳ）、特別運転コースのデフォルトの水量と洗い時間と水流とすすぎ回数と脱水時間とのいずれかを変更する。例えば、洗い時間を変更し（ステップＳ２５）、すすぎ回数を変更し（ステップＳ２６）または脱水時間を変更する（ステップＳ２７）。そしてステップＳ２４へ戻る。
【００６１】
設定変更をしないか、または設定変更を終了したときは（ステップＳ２４においてＮＯ）、特別運転コースの内容を送信部６から受信部７へ転送するための転送ボタン５８を押す（ステップＳ２８）。
【００６２】
そして、最大保存件数が３件の送信履歴保存部４７にはウォシャブルスーツコースと特別運転コース１とちょっと洗いコースとの３件が保存されているため、設定変更した特別運転コースを保存するために削除するコースを選択するための図６（ｃ）に示す画面が表示部５Ａに表示される。次に、ウォシャブルスーツコースと特別運転コース１とちょっと洗いコースとのいずれかを削除するコースとして選択する（ステップＳ２９）。ここでは、ウォシャブルスーツコースを削除するコースとして選択した例を説明する。
【００６３】
その後、選択したコースを削除してよいか否かを確認するための図６（ｄ）に示す画面が表示部５Ａに表示される（ステップＳ３０）。そして、削除することを確認するためのボタン５９を選択すると（ステップＳ３０においてＹＥＳ）、選択したウォシャブルスーツコースを送信履歴保存部４７から削除して今回設定した特別運転コースの内容を送信履歴保存部４７に保存する（ステップＳ３１）。次に、今回設定した特別運転コースの内容を送信部６から、洗濯機１１０Ｂに設けられた受信部７へ送信する。制御部３は、受信部３によって受信された特別運転コースの内容に基づいて洗濯運転を実行する。
【００６４】
削除しないことを確認するためのボタン６０を洗濯すると、選択したウォシャブルスーツコースは送信履歴保存部４７から削除せず、今回設定した特別運転コースの内容を破棄して（ステップＳ３２）ステップＳ２２へ戻る。
【００６５】
以上のように本実施の形態によれば、送信部６によって送信する少なくとも１個の履歴を保存する送信履歴保存部４７が設けられている。このため、送信履歴保存部４７に保存された少なくとも１個の履歴に基づいて、以前に送信した特別運転コースの内容を表す情報を修正して洗濯機１１０Ｂへ送信することができる。その結果、特別運転コースの内容を設定する手間を省くことができる。
【００６６】
なお、洗い運転とすすぎ運転と脱水運転との少なくとも１つの内容を補正して特別運転コースを設定する例を示したが、本発明はこれに限定されない。洗い運転とすすぎ運転と脱水運転と乾燥運転との少なくとも１つの内容を補正して特別運転コースを設定するように構成してもよい。このように、乾燥機能を有する洗濯機に対しても本発明を適用することができる。
【産業上の利用可能性】
【００６７】
本発明の洗濯機制御システムは、洗濯物を洗濯するための洗濯機に適用することができる。
【図面の簡単な説明】
【００６８】
【図１】本実施の形態に係る洗濯機システムの外観を示す斜視図である。
【図２】本実施の形態に係る洗濯機の構成を示す断面図である。
【図３】本実施の形態に係る洗濯機システムの構成を示すブロック図である。
【図４】（ａ）〜（ｄ）は、洗濯機システムの端末の動作を説明するための端末の表示部の表示内容を示す図である。
【図５】本実施の形態に係る洗濯機システムの動作を示すフローチャートである。
【図６】（ａ）〜（ｄ）は、洗濯機システムの端末の他の動作を説明するための端末の表示部の表示内容を示す図である。
【図７】本実施の形態に係る洗濯機システムの他の動作を示すフローチャートである。
【図８】従来の洗濯機の構成を示す断面図である。
【図９】従来の洗濯機の構成を示すブロック図である。
【図１０】従来の洗濯機に設けられた操作部の構成を示す正面図である。
【符号の説明】
【００６９】
３  制御部
６  送信部
７  受信部
４１  特別運転コース設定部
４７  送信履歴保存部
１１０Ｂ  洗濯機
１２０  端末
【図１】
2005034414.tif 000003
【図２】
2005034414.tif 000004
【図３】
2005034414.tif 000005
【図４】
2005034414.tif 000006
【図５】
2005034414.tif 000007
【図６】
2005034414.tif 000008
【図７】
2005034414.tif 000009
【図８】
2005034414.tif 000010
【図９】
2005034414.tif 000011
【図１０】
2005034414.tif 000012